(57)【特許請求の範囲】
【請求項１】
外部と出入口ドアを介して連通し、乗員が駐車車両から乗り降りする乗降室と、前記駐車車両を格納可能な複数の格納スペースを有する格納室と、前記乗降室と前記格納室間で前記駐車車両を移動する移動装置とを備えた駐車装置において、
前記乗降室に、レーザ光を照射し、その反射光によるデータに基づき前記乗降室内にいる残留者を検出するレーザ人体検出器を設け、かつ、前記乗降室の壁面に沿って立設され、前記壁面近傍に配置される機器を覆い、前記レーザ人体検出器による誤検出を防止する隔壁を備えたことを特徴とする駐車装置。
【発明の詳細な説明】
【技術分野】
【０００１】
本発明は、乗降室にて乗員が駐車車両から乗り降りし、移動装置により乗降室と格納室間で駐車車両を移動する駐車装置に関する。
【背景技術】
【０００２】
駐車装置として、外部と連通する乗降室と複数の格納スペースを有する格納室間で駐車車両を移動する移動装置、例えば駐車車両の入出庫階と格納階を結ぶリフト装置を構成し、駐車車両を搭載可能なトレーを異なる階床間で移動するものがある。
【０００３】
このような駐車装置には、乗降室の外部に、リフト装置を運転するための操作盤が設けられ、この操作盤の操作により空きのトレーが乗降室に搬送されると、出入口ドアが開き、乗員は駐車車両を乗降室に入庫させ、トレー上に停車させる。その後、乗員が降車して乗降室から退出すると、駐車車両が搭載されたトレーは格納階の格納スペースに搬送される。このような駐車装置では、安全を確保するため、駐車車両の入庫完了後に乗降室内に残留者が存在しないことを確認する必要がある。
【０００４】
そこで、駐車車両内に残留者が存在しないことを確認するものとして、特開２０１３−２４９６９３号公報（特許文献１）には、レーザ光を照射し、その反射光によるデータに基づいて駐車車両内の残留者を検出するものが示されている。また、特開２０１１−２４６９４２号公報（特許文献２）には、無線送受信人検出装置から送信される反射波に含まれる脈拍成分を抽出して駐車車両内の残留者を検出するものが示されている。
【先行技術文献】
【特許文献】
【０００５】
【特許文献１】特開２０１３−２４９６９３号公報
【特許文献２】特開２０１１−２４６９４２号公報
【発明の概要】
【発明が解決しようとする課題】
【０００６】
ところで、前述したものは主に駐車車両内の残留者を検出するものであるが、駐車装置として安全を確保するためには、乗降室内そのものにも残留者がいないことを確かめる必要がある。これは例えば、出入口ドアが開いているときに子ども等が乗降室に入り込むことも想定されるからである。また、一般に、乗員が駐車車両から乗り降りする乗降室には、その壁面の近傍に、建屋に設置される配管や、所定区画内の圧力が一定値に達したときに弁を開いて避圧する避圧ダンパの避圧開口等の機器が配置されている。
【０００７】
このような乗降室にあって、前述した特許文献１に記載されるような、レーザ光を照射し、その反射光によるデータに基づき人体の検出するレーザ人体検出器により乗降室内の残留者の有無を判定しようとすると、配管を人体と誤検出したり、避圧開口から排出された空気に含まれる塵埃を人体と誤検出したり、避圧開口を覆う網目状のカバーにより乱反射する反射光を人体として誤検出することがあり、正確な残留者の検出が困難であるという課題があった。
【０００８】
一方、前述した特許文献２に記載される反射波に含まれる脈拍成分を抽出して残留者を検出する検出器により、乗降室内の残留者を検出することも可能であるが、このような検出器は特殊なものであり、コストがかかるという問題があった。
【０００９】
本発明は、前述した従来技術における実状からなされたもので、その目的は、レーザ人体検出器により乗降室内の残留者の有無を正確に判定することのできる駐車装置を提供することにある。
【課題を解決するための手段】
【００１０】
前記目的を達成するために、本発明は、外部と出入口ドアを介して連通し、乗員が駐車車両から乗り降りする乗降室と、前記駐車車両を格納可能な複数の格納スペースを有する格納室と、前記乗降室と前記格納室間で前記駐車車両を移動する移動装置とを備えた駐車装置において、前記乗降室に、レーザ光を照射し、その反射光によるデータに基づき前記乗降室内にいる残留者を検出するレーザ人体検出器を設け、かつ、前記乗降室の壁面に沿って立設され、前記壁面近傍に配置される機器を覆い、前記レーザ人体検出器による誤検出を防止する隔壁を備えたことを特徴としている。
【００１１】
このような構成によれば、壁面近傍に配置される機器は隔壁によって覆われていることから、レーザ光を照射し、その反射光によるデータ基づき人体の検出するレーザ人体検出器が機器や、機器からの塵埃や反射光を人体と誤って検出することを防ぎ、これによって、乗降室内の残留者の有無を正確に判定することができる。
【発明の効果】
【００１２】
本発明によれば、レーザ人体検出器により乗降室内の残留者の有無を正確に判定することができる。なお、前述した以外の課題、構成および効果は、以下の実施形態の説明により明らかにされる。
【図面の簡単な説明】
【００１３】
【図１】本発明の駐車装置の一実施形態を示す乗降室の平面図である。
【発明を実施するための形態】
【００１４】
以下、本発明の実施形態を図面に基づいて説明する。
図１は、本発明の駐車装置の一実施形態を示す乗降室の平面図である。
【００１５】
本実施形態の駐車装置は、外部と出入口ドア１を介して連通し、乗員が駐車車両から乗り降りする乗降室２と、駐車車両を格納可能な複数の格納スペースを有する図示しない格納室と、乗降室２と格納室間で駐車車両を移動する移動装置、例えば駐車車両を搭載可能なトレー３を異なる階床間で移動するリフト装置４と、外部と連通し、非常時に用いられる非常口５と、出入口ドア１近傍に配置され、駐車装置を操作する操作盤６と、乗降室２の壁面２ａの近傍に配置され、建屋に設置される配管７と、壁面２ｂの近傍に配置され、所定区画内の圧力が一定値に達したときに弁を開いて避圧する避圧ダンパの避圧開口８とを備えている。
【００１６】
出入口ドア１は、トレー３との対向位置に配置され、駐車車両が通過可能な幅寸法を有していると共に、通常時、駐車車両の入出庫を行う乗員はここから出入りするようになっている。
トレー３の上面には、搭載された駐車車両の前輪および後輪が所定位置にあることを検出する車輪センサ９が備えられている。
【００１７】
リフト装置４は、図示しない制御装置により駐車車両を搭載可能なトレー３を昇降させるものであり、このリフト装置４がトレー３を乗降室２の昇降口１０に位置させると、トレー３上面と乗降室２の床２ｃが略同一レベルとなり、駐車車両の乗り入れ、乗り出しが可能となると共に、乗員は安全に乗降することができる。
【００１８】
乗降口１０の周縁から出入口ドア１および非常口５にかけてマーキングが施された通路１１が設定され、通常時において、乗員は昇降口１０の周縁から出入口ドア１に亘る通路１１を通り、入庫時に乗り入れた駐車車両から降りて退室すると共に、出庫時に入室して駐車車両に乗り込むようになっている。
乗降室２の出入口ドア1から向かって奥側の壁面２ｄには、駐車状況を案内する案内装置１２が設けられている。
乗降室２には、リフト装置４を緊急停止するための複数の緊急停止釦１３が設置されている。
【００１９】
そして、本実施形態では、乗降室に、レーザ光を照射し、その反射光によるデータ基づき人体の検出する複数のレーザ人体検出器１４と、乗降室２の壁面２ａ、２ｂに沿って立設され、壁面近傍に配置される機器、すなわち配管７および避圧開口８を覆う隔壁１５とを備えている。
【００２０】
本実施例にあっては、例えば駐車車両を入庫するため、出入口ドア１近傍に配置された操作盤６を外部から操作すると、この操作盤６の操作に応じてリフト装置４が稼働し、空きのトレー３が乗降室２に搬送され、出入口ドア１が開く。そこで、乗員は駐車車両を乗降室２に入庫させ、案内装置１２に導かれつつトレー３上に停車させる。その後、乗員は降車し、通路１１を通り出入口ドア１を介して乗降室２から退出する。
【００２１】
この間、レーザ人体検出器１４は乗降室２内にレーザ光を照射し、その反射光によるデータに基づき人体の検出を行っており、乗降室２内に残留者無しと判定すると、出入口ドア１の閉扉を許可する。ところで、配管７および避圧開口８は隔壁１５で覆われていることから、レーザ人体検出器１４が、配管７を人体と誤検出したり、避圧開口８から排出された空気に含まれる塵埃を人体と誤検出したり、避圧開口８を覆う網目状のカバーにより乱反射する反射光を人体として誤検出することを防ぐことができる。
【００２２】
出入口ドア１が閉扉した後、リフト装置４が稼働し、駐車車両が搭載されたトレー３は格納階の格納スペースに搬送される。一方、レーザ人体検出器１４により乗降室２内に残留者有りと判定されると、出入口ドア１の閉扉は阻止される共に、例えば、所定時間以上にわたって残留者有りと判定されると、外部に異常発生を報知するようになっている。
【００２３】
本実施形態によれば、壁面２ａ、２ｂ近傍に配置される配管７および避圧開口８は隔壁１５によって覆われていることから、レーザ人体検出器１４が配管７を人体と誤検出したり、避圧開口８から排出された空気に含まれる塵埃を人体と誤検出したり、避圧開口８を覆う網目状のカバーにより乱反射する反射光を人体として誤検出することを防ぎ、これによって、乗降室２内の残留者の有無を正確に判定し、不要に駐車装置を不稼働とすることを防止できる。
また、人体検出器は、一般的なレーザ人体検出器１４であることから、コストの低減を図り、汎用性の高い装置とすることができる。
【００２４】
なお、本発明は、前述した実施形態に限定されるものではなく、様々な変形例を含み、例えば、前述した実施形態は、本発明を分かりやすく説明するために詳細に説明したものであり、本発明は、必ずしも説明した全ての構成を備える態様に限定されるものではない。
【符号の説明】
【００２５】
１  出入口ドア
２  乗降室
３  トレー
４  リフト装置（移動装置）
６  操作盤
７  配管
８  避圧開口
１１  通路
１２  案内装置
１３  緊急停止釦
１４  レーザ人体検出器
１５  隔壁
【図１】
0006504998.tif 000002